【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
ピニオンギヤ（３２）を回転させるモータ（３１）、及びエンジン（１０）のクランク軸（１０ａ）と共に回転するリングギヤ（１１）側に前記ピニオンギヤを押し出す押出部材（３３）を有する始動用電動機（３０）と、前記クランク軸に連結され、前記クランク軸を回転させる回転電機（２０）と、を備え、前記押出部材により前記ピニオンギヤを前記リングギヤ側に押し出すとともに、前記モータの駆動力により前記ピニオンギヤを介して前記リングギヤを回転させることにより、前記エンジンを始動させる始動システムに用いられる始動装置（１００）において、
前記モータが駆動する前の駆動前期間において、前記クランク軸を介して前記リングギヤを回転させるように前記回転電機に対して指令する駆動指令部（１００）を備え、
前記回転電機は、多相交流電動機（２１）を備え、
前記多相交流電動機は、界磁巻線（２３）を備え、
前記駆動指令部は、前記駆動前期間において、前記多相交流電動機に所定相の電流を流させることにより、前記リングギヤの回転を生じさせるとともに、
前記駆動指令部は、前記駆動前期間において、前記所定相の電流を流させた後、前記界磁巻線を通電させる始動装置。
【請求項２】
前記始動用電動機は、前記ピニオンギヤに連結され、前記クランク軸の回転に基づき前記リングギヤが所定方向に回転した場合に当該リングギヤから前記モータへの動力を遮断する連結機構（３５）を有しており、
前記駆動指令部は、前記駆動前期間において、前記所定相の電流を流させた後、前記所定方向に、前記リングギヤを回転させる請求項１に記載の始動装置。
【請求項３】
前記所定方向は、前記エンジンを始動させる場合に、前記ピニオンギヤによって前記リングギヤを回転させる方向であり、
前記モータを駆動させるモータ駆動部（１００）を備え、
前記モータ駆動部は、前記回転電機の駆動による前記リングギヤの前記所定方向の回転開始に伴って、前記モータを駆動させて前記ピニオンギヤを前記リングギヤと同じ方向に回転させる請求項２に記載の始動装置。
【請求項４】
前記駆動指令部は、前記駆動前期間において、前記所定相を通電させた後、前記ピニオンギヤによって前記リングギヤを回転させる方向とは逆方向に、前記リングギヤを回転させる請求項１に記載の始動装置。
【請求項５】
ピニオンギヤ（３２）を回転させるモータ（３１）、及びエンジン（１０）のクランク軸（１０ａ）と共に回転するリングギヤ（１１）側に前記ピニオンギヤを押し出す押出部材（３３）を有する始動用電動機（３０）と、前記クランク軸に連結され、前記クランク軸を回転させる回転電機（２０）と、を備え、前記押出部材により前記ピニオンギヤを前記リングギヤ側に押し出すとともに、前記モータの駆動力により前記ピニオンギヤを介して前記リングギヤを回転させることにより、前記エンジンを始動させる始動システムに用いられる始動装置（１００）において、
前記モータが駆動する前の駆動前期間において、前記クランク軸を介して前記リングギヤを回転させるように前記回転電機に対して指令する駆動指令部（１００）を備え、
前記回転電機は、多相交流電動機（２１）を備え、
前記駆動指令部は、前記駆動前期間において、前記多相交流電動機に所定相の電流を流させることにより、前記リングギヤの回転を生じさせるとともに、
前記駆動指令部は、前記駆動前期間において、前記所定相を通電させた後、前記ピニオンギヤによって前記リングギヤを回転させる方向とは逆方向に、前記リングギヤを回転させる始動装置。
【請求項６】
前記駆動指令部は、前記駆動前期間において、前記所定相の電流を流させた後、当該所定相とは異なる相の電流を流させる請求項１〜５のうちいずれか１項に記載の始動装置。
【請求項７】
前記モータが駆動する前の駆動前期間のうち、前記押出部材が前記ピニオンギヤを押し出した後で、前記駆動指令部による前記指令により、前記回転電機は前記リングギヤを回転させる請求項１〜６のうちいずれか１項に記載の始動装置。
【請求項８】
駆動指令部（１００）から回転指令を受けピニオンギヤ（３２）を回転させるモータ（３１）、及びエンジン（１０）のクランク軸（１０ａ）と共に回転するリングギヤ（１１）側に前記駆動指令部からの押出指令を受け前記ピニオンギヤを押し出す押出部材（３３）を有する始動用電動機（３０）を備え、前記押出部材により前記ピニオンギヤを前記リングギヤ側に押し出すとともに、前記モータの駆動力により前記ピニオンギヤを介して前記リングギヤを回転させることにより、前記エンジンを始動させる始動システムに用いられる回転電機（２０）であって、
界磁巻線（２３）を有する多相交流電動機（２１）を備え、
前記モータが駆動する前の駆動前期間において、前記駆動指令部からの回転駆動指令を受けて、前記多相交流電動機に所定相の電流を流させることにより、前記クランク軸を介して前記リングギヤの回転を生じさせ、その後、前記界磁巻線を通電させる回転電機。
【請求項９】
駆動指令部（１００）から回転指令を受けピニオンギヤ（３２）を回転させるモータ（３１）、及びエンジン（１０）のクランク軸（１０ａ）と共に回転するリングギヤ（１１）側に前記駆動指令部からの押出指令を受け前記ピニオンギヤを押し出す押出部材（３３）を有する始動用電動機（３０）を備え、前記押出部材により前記ピニオンギヤを前記リングギヤ側に押し出すとともに、前記モータの駆動力により前記ピニオンギヤを介して前記リングギヤを回転させることにより、前記エンジンを始動させる始動システムに用いられる回転電機（２０）であって、
多相交流電動機（２１）を備え、
前記モータが駆動する前の駆動前期間において、前記駆動指令部からの回転駆動指令を受けて、前記多相交流電動機に所定相の電流を流させることにより、前記クランク軸を介して前記リングギヤの回転を生じさせ、前記所定相を通電させた後、前記ピニオンギヤによって前記リングギヤを回転させる方向とは逆方向に、前記リングギヤを回転させる回転電機。
【請求項１０】
前記モータが駆動する前の駆動前期間のうち、前記押出部材が前記ピニオンギヤを押し出した後で、前記クランク軸を介して前記リングギヤを回転させる請求項８又は９に記載の回転電機。
【請求項１１】
駆動指令部（１００）から回転指令を受けピニオンギヤ（３２）を回転させるモータ（３１）、及びエンジン（１０）のクランク軸（１０ａ）と共に回転するリングギヤ（１１）側に前記駆動指令部からの押出指令を受け前記ピニオンギヤを押し出す押出部材（３３）を有する始動用電動機（３０）と、前記駆動指令部からの回転駆動指令を受け、前記クランク軸を介して前記リングギヤを回転させる回転電機（２０）と、を備え、前記押出部材により前記ピニオンギヤを前記リングギヤ側に押し出すことと、前記回転駆動指令を受けた回転電機により、前記クランク軸を介して前記リングギヤを回転させることとの協働により前記ピニオンギヤと前記リングギヤとを噛み合わせ、前記エンジンを始動させる始動システムに用いられる始動用電動機であって、
前記回転電機は、
界磁巻線（２３）を有する多相交流電動機（２１）を備えているとともに、
前記モータが駆動する前の駆動前期間において、前記駆動指令部からの回転駆動指令を受けて、前記多相交流電動機に所定相の電流を流させることにより、前記クランク軸を介して前記リングギヤの回転を生じさせ、その後、前記界磁巻線を通電させるように構成されており、
前記協働による噛み合い後に、前記回転指令を受けた前記モータが駆動することで前記ピニオンギヤが回転する始動用電動機。
【請求項１２】
駆動指令部（１００）から回転指令を受けピニオンギヤ（３２）を回転させるモータ（３１）、及びエンジン（１０）のクランク軸（１０ａ）と共に回転するリングギヤ（１１）側に前記駆動指令部からの押出指令を受け前記ピニオンギヤを押し出す押出部材（３３）を有する始動用電動機（３０）と、前記駆動指令部からの回転駆動指令を受け、前記クランク軸を介して前記リングギヤを回転させる回転電機（２０）と、を備え、前記押出部材により前記ピニオンギヤを前記リングギヤ側に押し出すことと、前記回転駆動指令を受けた回転電機により、前記クランク軸を介して前記リングギヤを回転させることとの協働により前記ピニオンギヤと前記リングギヤとを噛み合わせ、前記エンジンを始動させる始動システムに用いられる始動用電動機であって、
前記回転電機は、
多相交流電動機（２１）を備えているとともに、
前記モータが駆動する前の駆動前期間において、前記駆動指令部からの回転駆動指令を受けて、前記多相交流電動機に所定相の電流を流させることにより、前記クランク軸を介して前記リングギヤの回転を生じさせ、前記所定相を通電させた後、前記ピニオンギヤによって前記リングギヤを回転させる方向とは逆方向に、前記リングギヤを回転させるように構成されており、
前記協働による噛み合い後に、前記回転指令を受けた前記モータが駆動することで前記ピニオンギヤが回転する始動用電動機。
【請求項１３】
前記モータが駆動する前の駆動前期間のうち、回転電機が前記クランク軸を介して前記リングギヤを回転させる前に、前記押出部材が前記ピニオンギヤを押し出す請求項１１又は１２に記載の始動用電動機。